(57)【要約】  アルミニウムインゴットの長さが短くてもフォークリフトのフォークを差し込む隙間を確保できるように、アルミニウムインゴットの梱包体（１０）は、第１段にアルミニウムインゴット（１）の長さ（１１）よりも短い間隔（１２）で平行に下向きに３本のアルミニウムインゴット（１１１，１１２，１１３）が配置され、第２段では、第１段の３本のアルミニウムインゴット（１１１，１１２，１１３）とほぼ直角に交差し、かつ、これら３本のアルミニウムインゴット（１１１，１１２，１１３）のうち隣接する２本のアルミニウムインゴット間の隙間（Ｂ１，Ｂ２）をそれぞれ架け渡すようにアルミニウムインゴット（１２１，１２２）が配置され、第１段の各アルミニウムインゴット（１１１，１１２，１１３）及び第９段の各アルミニウムインゴット（１９１，１９２，１９３）の上面（１ａ）の溝（１ｃ）の長辺方向に沿ってそれぞれ位置させた結束バンド（２ａ）を締め付けることを特徴とする。
2019130603.tif 000002
【特許請求の範囲】
【請求項１】
上面の縦横に溝が設けられた複数のアルミニウムインゴットを梱包してなるアルミニウムインゴットの梱包体であって、
最下段にアルミニウムインゴットの長さよりも短い間隔で平行に下向きに配置された３本の最下段アルミニウムインゴットと、
前記最下段アルミニウムインゴットの上に、これら３本の最下段アルミニウムインゴットと交差し、かつ、これら３本の最下段アルミニウムインゴットのうち隣接する２本の最下段アルミニウムインゴット間をそれぞれ架け渡すように配置された架け渡しアルミニウムインゴットと、
最上段に上向きに配置された最上段アルミニウムインゴットと、
各前記最下段アルミニウムインゴットの長辺方向の溝及び前記最上段アルミニウムインゴットの溝を通り、各前記最下段アルミニウムインゴットと前記最上段アルミニウムインゴットとの間を結束する結束バンドと
を具備するアルミニウムインゴットの梱包体。
【請求項２】
請求項１に記載のアルミニウムインゴットの梱包体であって、
前記最上段アルミニウムインゴットは、各前記最下段アルミニウムインゴットとそれぞれ対向するように配置され、
前記結束バンドは、各前記最下段アルミニウムインゴットの長辺方向の溝及びこれら最下段アルミニウムインゴットと対向する各前記最上段アルミニウムインゴットの長辺方向の溝を通る
アルミニウムインゴットの梱包体。
【請求項３】
請求項１に記載のアルミニウムインゴットの梱包体であって、
前記最上段アルミニウムインゴットは、前記最下段アルミニウムインゴットと交差するように配置され、
前記結束バンドは、各前記最下段アルミニウムインゴットの長辺方向の溝及び前記最上段アルミニウムインゴットの短辺方向の溝を通る
アルミニウムインゴットの梱包体。
【請求項４】
請求項１から３のうちいずれか１項に記載のアルミニウムインゴットの梱包体であって、更に、
前記各最下段アルミニウムインゴットと前記架け渡しアルミニウムインゴットとの間に、前記各最下段アルミニウムインゴットと重なるように配置された隙間の高さ調整用アルミニウムインゴット
を具備するアルミニウムインゴットの梱包体。
【請求項５】
請求項１から４のうちいずれか１項に記載のアルミニウムインゴットの梱包体を少なくとも上下の２段に段積みし、上段のアルミニウムインゴットの梱包体の結束バンドと下段のアルミニウムインゴットの梱包体の同位置の結束バンドとを通るようにこれらの結束バンドの上に重ねて結束バンドを位置させ、この結束バンドで上下のアルミニウムインゴットの梱包体を結束してなるアルミニウムインゴットの梱包体。
【請求項６】
請求項１から４のうちいずれか１項に記載のアルミニウムインゴットの梱包体を少なくとも前後に並べて配置し、前のアルミニウムインゴットの梱包体の結束バンドと後ろのアルミニウムインゴットの梱包体の同位置の結束バンドとを通るようにこれらの結束バンドの上に重ねて結束バンドを位置させ、この結束バンドで前後のアルミニウムインゴットの梱包体を結束してなるアルミニウムインゴットの梱包体。
【請求項７】
上面の縦横に溝が設けられた複数のアルミニウムインゴットを梱包するアルミニウムインゴットの梱包方法であって、
最下段に３本のアルミニウムインゴットをアルミニウムインゴットの長さよりも短い間隔で平行に下向きに配置し、
前記最下段のアルミニウムインゴットの上に、これら３本のアルミニウムインゴットと交差し、かつ、これら３本のアルミニウムインゴットのうち隣接する２本のアルミニウムインゴット間をそれぞれ架け渡すようにアルミニウムインゴットを配置し、
最上段にアルミニウムインゴットを上向きに配置し、
各前記最下段のアルミニウムインゴットの長辺方向の溝及び前記最上段のアルミニウムインゴットの溝を通り、各前記最下段のアルミニウムインゴットと前記最上段のアルミニウムインゴットとの間を結束バンドにより結束する
アルミニウムインゴットの梱包方法。
【発明の詳細な説明】
【技術分野】
【０００１】
本発明は、典型的にはフォークリフトによって運搬されるアルミニウムインゴットの梱包体及びそのようアルミニウムインゴットを梱包する方法に関する。
【背景技術】
【０００２】
特許文献１には、段積みされたアルミニウムインゴットの具体的な態様が記載されている。このようなアルミニウムインゴットは、最下端に下駄の歯のように２本のアルミニウムインゴットを配置することで、最下端に隙間を作っている。この隙間は丁度フォークリフトのフォークを差し込むことができる幅と高さを有する。これにより、段積みされたアルミニウムインゴットはフォークリフトによって運搬できるようになっている。
【先行技術文献】
【特許文献】
【０００３】
【特許文献１】特開平６−１５６４２８号公報（図１５）
【発明の概要】
【発明が解決しようとする課題】
【０００４】
従来のアルミニウムインゴットの重さは典型的には５ｋｇであったが、最近ではその半分の２．５ｋｇのアルミニウムインゴットが使われようとしている。このような２．５ｋｇのアルミニウムインゴットは、その長さが５ｋｇのものの半分程度になる。そうすると、アルミニウムインゴットを従来通りに段積みすると、フォークリフトのフォークを差し込む隙間を確保できなくなる、という課題が生じた。【０００５】
以上のような事情に鑑み、本発明の目的は、アルミニウムインゴットの長さが短くてもフォークリフトのフォークを差し込む隙間を確保できるアルミニウムインゴットの梱包体及びアルミニウムインゴットの梱包方法を提供することにある。
【課題を解決するための手段】
【０００６】
上記目的を達成するため、本発明の一形態に係るアルミニウムインゴットの梱包体は、上面の縦横に溝が設けられた複数のアルミニウムインゴットを梱包してなるアルミニウムインゴットの梱包体であって、最下段にアルミニウムインゴットの長さよりも短い間隔で平行に下向きに配置された３本の最下段アルミニウムインゴットと、前記最下段アルミニウムインゴットの上に、これら３本の最下段アルミニウムインゴットと交差し、かつ、これら３本の最下段アルミニウムインゴットのうち隣接する２本の最下段アルミニウムインゴット間をそれぞれ架け渡すように配置された架け渡しアルミニウムインゴットと、最上段に上向きに配置された最上段アルミニウムインゴットと、各前記最下段アルミニウムインゴットの長辺方向の溝及び前記最上段アルミニウムインゴットの溝を通り、各前記最下段アルミニウムインゴットと前記最上段アルミニウムインゴットとの間を結束する結束バンドとを具備する。【０００７】
本発明では、最下端の３本のアルミニウムインゴットは、フォークリフトで運搬する際にフォークを差し込む隙間を確保する脚となる。特に最下端の３本のアルミニウムインゴットのうち中央のアルミニウムインゴットは、最下段アルミニウムインゴットの上に配置され、隣接する２本の最下段アルミニウムインゴット間をそれぞれ架け渡すアルミニウムインゴットの橋脚にあたる役割をする。これにより、アルミニウムインゴットの長さが短くてもフォークリフトのフォークを差し込む隙間を確保できる。【０００８】
加えて、本発明では、最下段の各アルミニウムインゴットの幅広となる底面と最上段の各アルミニウムインゴットの幅広となる底面とを向き合う形で配置し、これらの間にあるアルミニウムインゴットを挟み込み結束バンドで締め付けている。そうすることで、最下段のアルミニウムインゴットと最上段のアルミニウムインゴットとの間にあり、かつ、これらのアルミニウムインゴットと交差するように配置されたアルミニウムインゴットが橋桁のようにしっかり固定され、このアルミニウムインゴットの梱包体をフォークリフトですくい上げても崩れるようなことを避けることが可能である。【０００９】
また、本発明では、アルミニウムインゴットの上面の縦横に溝を設け、この溝に結束バンドを通すことで結束バンドのズレを防止できる。また、アルミニウムインゴットの上面がアルミニウムインゴットと接していても、これらの間に結束バンドを通すことができ、適切な位置を結束バンドで結束してアルミニウムインゴットの梱包体の崩れをより効果的に防止できる。更に、最下段のアルミニウムインゴットの底の部分では、結束バンドが擦れて切れることを防止できる。【００１０】
本発明の一形態に係るアルミニウムインゴットの梱包体は、前記最上段アルミニウムインゴットは、各前記最下段アルミニウムインゴットとそれぞれ対向するように配置され、前記結束バンドは、各前記最下段アルミニウムインゴットの長辺方向の溝及びこれら最下段アルミニウムインゴットと対向する各前記最上段アルミニウムインゴットの長辺方向の溝を通ればよい。【００１１】
本発明の一形態に係るアルミニウムインゴットの梱包体は、前記最上段アルミニウムインゴットは、前記最下段アルミニウムインゴットと交差するように配置され、前記結束バンドは、各前記最下段アルミニウムインゴットの長辺方向の溝及び前記最上段アルミニウムインゴットの短辺方向の溝を通ればよい。【００１２】
本発明の一形態に係るアルミニウムインゴットの梱包体は、前記各最下段アルミニウムインゴットと前記架け渡しアルミニウムインゴットとの間に、前記各最下段アルミニウムインゴットと重なるように配置された隙間の高さ調整用アルミニウムインゴットをさらに具備してもよい。これにより、フォークリフトのフォークの厚さがアルミニウムインゴットの厚さを超える場合にも対応可能である。高さ調整用アルミニウムインゴットは、上向きであっても下向きであってもよい。【００１３】
本発明の一形態に係るアルミニウムインゴットの梱包体は、上記のアルミニウムインゴットの梱包体を少なくとも上下の２段に段積みし、上段のアルミニウムインゴットの梱包体の結束バンドと下段のアルミニウムインゴットの梱包体の同位置の結束バンドとを通るようにこれらの結束バンドの上に重ねて結束バンドを位置させ、この結束バンドで上下のアルミニウムインゴットの梱包体を結束してなるものである。【００１４】
本発明の一形態に係るアルミニウムインゴットの梱包体は、上記のアルミニウムインゴットの梱包体を少なくとも前後に並べて配置し、前のアルミニウムインゴットの梱包体の結束バンドと後ろのアルミニウムインゴットの梱包体の同位置の結束バンドとを通るようにこれらの結束バンドの上に重ねて結束バンドを位置させ、この結束バンドで前後のアルミニウムインゴットの梱包体を結束してなるものである。【００１５】
上記の上下及び前後のアルミニウムインゴットの梱包体を同様に結束してももちろんよい。【００１６】
本発明の一形態に係るアルミニウムインゴットの梱包方法は、上面の縦横に溝が設けられた複数のアルミニウムインゴットを梱包するアルミニウムインゴットの梱包方法であって、最下段に３本のアルミニウムインゴットをアルミニウムインゴットの長さよりも短い間隔で平行に下向きに配置し、前記最下段のアルミニウムインゴットの上に、これら３本のアルミニウムインゴットと交差し、かつ、これら３本のアルミニウムインゴットのうち隣接する２本のアルミニウムインゴット間をそれぞれ架け渡すようにアルミニウムインゴットを配置し、最上段にアルミニウムインゴットを上向きに配置し、各前記最下段のアルミニウムインゴットの長辺方向の溝及び前記最上段のアルミニウムインゴットの溝を通り、各前記最下段のアルミニウムインゴットと前記最上段のアルミニウムインゴットとの間を結束バンドにより結束する。【００１７】
これにより、アルミニウムインゴットの長さが短くてもフォークリフトのフォークを差し込む隙間を確保できる。加えて、アルミニウムインゴットの梱包体をフォークリフトですくい上げても崩れるようなことを避けることが可能である。
【発明の効果】
【００１８】
本発明により、アルミニウムインゴットの長さが短くてもフォークリフトのフォークを差し込む隙間を確保できる。また、アルミニウムインゴットの梱包体をフォークリフトですくい上げても崩れるようなことを避けることが可能である。
【図面の簡単な説明】
【００１９】
【図１Ａ】本発明の一実施形態に係るアルミニウムインゴット単体の正面図である。
【図１Ｂ】本発明の一実施形態に係るアルミニウムインゴット単体の平面図である。
【図１Ｃ】本発明の一実施形態に係るアルミニウムインゴット単体の側面図である。
【図２Ａ】本発明の一実施形態に係るアルミニウムインゴットの梱包体の正面図である。
【図２Ｂ】本発明の一実施形態に係るアルミニウムインゴットの梱包体の平面図である。
【図２Ｃ】本発明の一実施形態に係るアルミニウムインゴットの梱包体の側面図である。
【図３Ａ】本発明の他の実施形態に係るアルミニウムインゴットの梱包体の正面図である。
【図３Ｂ】本発明の他の実施形態に係るアルミニウムインゴットの梱包体の側面図である。
【図４Ａ】本発明の更に他の実施形態に係るアルミニウムインゴットの梱包体の正面図である。
【図４Ｂ】本発明の更に他の実施形態に係るアルミニウムインゴットの梱包体の側面図である。
【図５Ａ】本発明のまた別の実施形態に係るアルミニウムインゴットの梱包体の正面図である。
【図５Ｂ】本発明のまた別の実施形態に係るアルミニウムインゴットの梱包体の側面図である。
【図６Ａ】本発明の更にまた別の実施形態に係るアルミニウムインゴットの梱包体の正面図である。
【図６Ｂ】本発明の更にまた別の実施形態に係るアルミニウムインゴットの梱包体の平面図である。
【図６Ｃ】本発明の更にまた別の実施形態に係るアルミニウムインゴットの梱包体の側面図である。
【図７Ａ】図６の変形例に係るアルミニウムインゴットの梱包体の正面図である。
【図７Ｂ】図６の変形例に係るアルミニウムインゴットの梱包体の平面図である。
【図７Ｃ】図６の変形例に係るアルミニウムインゴットの梱包体の側面図である。
【図８Ａ】本発明の他の実施形態に係るアルミニウムインゴット単体の正面図である。
【図８Ｂ】本発明の他の実施形態に係るアルミニウムインゴット単体の平面図である。
【図８Ｃ】本発明の他の実施形態に係るアルミニウムインゴット単体の側面図である。
【図９Ａ】図８に示したアルミニウムインゴットを用いた実施形態に係る梱包体の正面図である。
【図９Ｂ】図８に示したアルミニウムインゴットを用いた実施形態に係る梱包体の平面図である。
【図９Ｃ】図８に示したアルミニウムインゴットを用いた実施形態に係る梱包体の側面図である。
【発明を実施するための形態】
【００２０】
以下、図面を参照しながら、本発明の実施形態を説明する。
【００２１】
図１Ａ〜図１Ｃは、それぞれ本発明の一実施形態に係るアルミニウムインゴット単体の正面図、平面図、側面図である。
【００２２】
アルミニウムインゴット１は、長尺で４角錐台の形状をなし、その重さは典型的には２．５ｋｇである。アルミニウムインゴット１の長さは、一般的なフォークリフトのフォークの間隔よりも短い。
【００２３】
アルミニウムインゴット１の表裏のうち、面積が小さい方を上面１ａ、面積が大きい方を底面１ｂと呼ぶ。上面１ａには、縦横に、具体的には十字の溝１ｃが設けられている。溝１ｃの幅は、後述する結束バンドの幅よりが大きく、また溝１ｃの深さは結束バンドの厚さよりも深い方がよい。アルミニウムインゴットの側面のうち短辺側の側面には、十字の溝１ｃと連通する溝１ｄが設けられている。
【００２４】
図２Ａ〜図２Ｃは、それぞれ本発明の一実施形態に係るアルミニウムインゴットの梱包体の正面図、平面図、側面図である。
【００２５】
アルミニウムインゴットの梱包体１０は、上記のアルミニウムインゴット１を上下９段に段積みして構成される。ここで、最下段を第１段と呼び、以下最上段まで順番に第２段〜第９段と呼ぶ。図中上方向を向いていることを上向き、下方向を向いていることを下向きと呼ぶ。また、この実施形態におけるアルミニウムインゴット単体では、その符号をアルミニウムインゴット１とするが、段積みされた状態では、特定のアルミニウムインゴットの位置を明確にするために特定のアルミニウムインゴットには特定の符号を付す。
【００２６】
アルミニウムインゴットの梱包体１０では、第１段にアルミニウムインゴット１の長さｌ１よりも短い間隔ｌ２で平行に下向きに３本のアルミニウムインゴット１１１、１１２、１１３が配置される。上記間隔ｌ２は左右で等しい方が好ましい。
【００２７】
第２段では、第１段の３本のアルミニウムインゴット１１１、１１２、１１３とほぼ直角に交差し、かつ、これら３本のアルミニウムインゴット１１１、１１２、１１３のうち隣接する２本のアルミニウムインゴット１１１、１１２、と１１２、１１３間の隙間Ｂ１、Ｂ２をそれぞれ架け渡すようにアルミニウムインゴット１２１、１２２が配置される。第２段では、このようなアルミニウムインゴット１２１、１２２が前後に３列、接するように配列され、３列のうち前後の列のアルミニウムインゴット１２１、１２２は上向き、中の列のアルミニウムインゴット１２１、１２２は下向きに配置されている。
【００２８】
第９段では、第１段の各アルミニウムインゴット１１１、１１２、１１３とそれぞれ対向するように上向きにアルミニウムインゴット１９１、１９２、１９３が配置される。すなわち、第１段の各アルミニウムインゴット１１１、１１２、１１３と第９段のアルミニウムインゴット１９１、１９２、１９３とは、それぞれの底面１ｂ、つまり面積の大きい面が互いに向かい合っている。第９段では、上記の３本のアルミニウムインゴット１９１、１９２、１９３の隙間に適宜アルミニウムインゴット１が配置される。例えば、アルミニウムインゴット１９１と１９２との間に上向きのアルミニウムインゴット１と下向きのアルミニウムインゴット１が配置される。同様に、アルミニウムインゴット１９２と１９３との間に上向きのアルミニウムインゴット１と下向きのアルミニウムインゴット１が配置される。
【００２９】
第４段、第６段、第８段では、第２段と同様に態様でアルミニウムインゴット１が配置される。第３段、第５段、第７段では、第９段と同様の態様でアルミニウムインゴット１が配置される。
【００３０】
第１段の各アルミニウムインゴット１１１、１１２、１１３の上面１ａの溝１ｃの長辺方向及びこれらアルミニウムインゴット１１１、１１２、１１３に対応する第９段の各アルミニウムインゴット１９１、１９２、１９３の上面１ａの溝１ｃの長辺方向に沿ってそれぞれ位置し、全体を巻くように３本の結束バンド２ａを通す。
【００３１】
第２段の中の列の２本のアルミニウムインゴット１２１、１２２の上面（下向き）１ａの溝１ｃの長辺方向及び第９段の全てのアルミニウムインゴット１９１、１、１、１９２、１、１、１９３の上面１ａの溝１ｃの短辺方向に沿って位置し、全体を巻くように１本の結束バンド２ｂを通す。
【００３２】
結束バンド２ａを締め付けることで、第１段の各アルミニウムインゴット１１１、１１２、１１３と第９段の各アルミニウムインゴット１９１、１９２、１９３とが締め付けられる。結束バンド２ｂを締め付けることで、第２段の中の列の２本のアルミニウムインゴット１２１、１２２と第９段の全てのアルミニウムインゴット１９１、１、１、１９２、１、１、１９３とが締め付けられる。これにより、段積みされた全てのアルミニウムインゴット１単体が強く結束され、アルミニウムインゴットの梱包体１０が１つの塊のような状態となる。
【００３３】
ここで、第１段の３本のアルミニウムインゴット１１１、１１２、１１３は、フォークリフトで運搬する際にフォークを差し込む２つの隙間Ｂ１、Ｂ２を確保する「脚」となる。特に、第１段の３本のアルミニウムインゴット１１１、１１２、１１３のうち中央のアルミニウムインゴット１１２は、第２段のアルミニウムインゴット１２１、１２２をそれぞれ架け渡す「橋脚」にあたる役割をする。これにより、アルミニウムインゴット１の長さが短くてもフォークリフトのフォークを差し込む２つの隙間Ｂ１、Ｂ２を確保できる。
【００３４】
第１段の各アルミニウムインゴット１１１、１１２、１１３の幅広となる底面１ｂと第９段の各アルミニウムインゴット１９１、１９２、１９３の幅広となる底面１ｂとを向き合う形で配置し、これらの間にあるアルミニウムインゴット１を挟み込み、結束バンド２ａで締め付けている。そうすることで、第１段のアルミニウムインゴット１１１、１１２、１１３と第９段のアルミニウムインゴット１９１、１９２、１９３との間にあり、かつ、これらのアルミニウムインゴット１１１、１１２、１１３、１９１、１９２、１９３と交差するように配置された偶数段（第２段、第４段、第６段）のアルミニウムインゴット１が「橋桁」のようにしっかり固定され、このアルミニウムインゴットの梱包体１０をフォークリフトですくい上げても崩れるようなことを避けることが可能である。
【００３５】
この実施形態に係るアルミニウムインゴット１は、それぞれのアルミニウムインゴット１の上面１ａに、結束バンド２ａ、２ｂの幅よりも大きな溝幅の十字の溝１ｃが設けられているので、この溝１ｃに結束バンド２ａ、２ｂを通すことで結束バンド２ａ、２ｂのズレを防止できる。
【００３６】
また、アルミニウムインゴット１の上面１ａがアルミニウムインゴット１と接していても、これらの間に結束バンド２ａ、２ｂを通すことができ、適切な位置を結束バンド２ａ、２ｂで結束してアルミニウムインゴットの梱包体１０の崩れをより効果的に防止できる。この実施形態では、第２段の中の列の２本のアルミニウムインゴット１２１、１２２と第９段の全てのアルミニウムインゴット１９１、１、１、１９２、１、１、１９３との間を結束バンド２ｂで締め付けることで、アルミニウムインゴットの梱包体１０の崩れをより効果的に防止しているが、違う位置に結束バンド２ｂを通すようにしてもよく、更には２カ所以上にこのような結束バンド２ｂを通すようにしてもよい。
【００３７】
更に、第１段のアルミニウムインゴット１１１、１１２、１１３の底の部分では、結束バンド２ａが擦れて切れることを防止できる。
【００３８】
本発明は、上記の実施形態には限定されず、本発明の技術思想の範囲内で様々形態での実施が可能であり、その実施の範囲も本発明の技術的範囲に属するものである。
【００３９】
例えば、上記実施形態では、９段に段積みされたアルミニウムインゴットの梱包体であったが、それ以上に段積みしても、それ以下に段積みしても本発明を適用できる。また、各段に並べるアルミニウムインゴットの数も上記の実施形態に限定されない。
【００４０】
一般的に流通している５ｋｇのアルミニウムインゴットは１００本〜２００本を積み重ねて、１梱包あたり５００ｋｇ〜１ｔで梱包している。このようなアルミニウムインゴットを受け入れて溶解する先によってはその５００ｋｇ〜１ｔでアルミニウムインゴットの梱包体をそのまま溶解炉に投入する設備が設けられている。
【００４１】
本発明では、そのような設備にも対応できるように２．５ｋｇのアルミニウムインゴットを使って上記の５ｋｇのアルミニウムインゴットの梱包体と同等に取り扱えるように構成することができる。図３Ａ〜Ｂにその一例を示す。
【００４２】
図３Ａ〜Ｂに示すアルミニウムインゴットの梱包体２０では、図２Ａ〜Ｃに示したアルミニウムインゴットの梱包体１０を前後に２個並べ、更にその上に載せて２段にし、合計４個のアルミニウムインゴットの梱包体１０を結束バンド２ｃで束ねている。
【００４３】
このアルミニウムインゴットの梱包体２０では、図２Ａ〜Ｃの結束バンド２ａのうち左右の結束バンド２ａの上を結束バンド２ｃがそれぞれ重ねて通り、かつ、これら結束バンド２ｃが下段のアルミニウムインゴットの梱包体１０と上段のアルミニウムインゴットの梱包体１０で同じ通りになるようにすることで、アルミニウムインゴットの梱包体１０を２段に積むときの位置合わせを行うことができる。
【００４４】
図２Ａ〜Ｃに示したアルミニウムインゴットの梱包体１０は塊りとして強度があるので、図３Ａ〜Ｂに示した方法でアルミニウムインゴットの梱包体１０を４個に束ねたアルミニウムインゴットの梱包体２０であればフォークリフトで輸送可能となる。
【００４５】
また、本発明はこのような態様に限らず、例えば図４Ａ〜Ｂに示すように、図２Ａ〜Ｃに示したアルミニウムインゴットの梱包体１０を前後に２個並べて２個に束ねたアルミニウムインゴットの梱包体３０を構成してもよいし、図５Ａ〜Ｂに示すように、図２Ａ〜Ｃに示したアルミニウムインゴットの梱包体１０を上下に２個重ねて２個に束ねたアルミニウムインゴットの梱包体４０を構成してもよい。
【００４６】
アルミニウムインゴットの梱包体３０においては、例えば図２Ａ〜Ｃの結束バンド２ａのうち左右の結束バンド２ａの上を結束バンド２ｃがそれぞれ重ねて通り、かつ、これら結束バンド２ｃが前のアルミニウムインゴットの梱包体１０と後ろのアルミニウムインゴットの梱包体１０で同じ通りになるようにすることで、前後のアルミニウムインゴットの梱包体１０の位置合わせを行うことができる。
【００４７】
また、アルミニウムインゴットの梱包体４０においては、例えば図２Ａ〜Ｃの結束バンド２ａのうち左右の結束バンド２ａの上を結束バンド２ｃがそれぞれ重ねて通り、かつ、これら結束バンド２ｃが下段のアルミニウムインゴットの梱包体１０と上段のアルミニウムインゴットの梱包体１０で同じ通りになるようにすることで、上下のアルミニウムインゴットの梱包体１０の位置合わせを行うことができる。
【００４８】
更に、上記の実施形態では、フォークリフトのフォークを差し込む２つの隙間Ｂ１、Ｂ２を確保する「脚」となるための第１段（最下段）のアルミニウムインゴット１１１、１１２、１１３はそれぞれ１枚で構成していたが、フォークリフトのフォークの厚さがアルミニウムインゴットの厚さを超える場合にはこのような隙間を確保できない。そこで、図６Ａ〜Ｃに示すように、梱包体５０として、第１段（最下段）のアルミニウムインゴット１１１、１１２、１１３と第２段の特定のアルミニウムインゴット１との間に、各第１段（最下段）のアルミニウムインゴット１１１、１１２、１１３と対面するように隙間の高さ調整用のアルミニウムインゴット１１１'、１１２'、１１３'を配置してもよい。これにより、フォークリフトのフォークの厚さがアルミニウムインゴット１の厚さを超える場合にも対応可能である。なお、隙間の高さ調整用のアルミニウムインゴット１１１'、１１２'、１１３'は、図７Ａ〜Ｃに示すように、各第１段（最下段）のアルミニウムインゴット１１１、１１２、１１３と同じように下向きに配置してもよい。
【００４９】
また、上記の実施形態では、アルミニウムインゴット１の上面１ａに十字の溝１ｃが設け、最上段（第９段）では、最下段（第１段）の各アルミニウムインゴット１１１、１１２、１１３とそれぞれ対向するように上向きにアルミニウムインゴット１９１、１９２、１９３が配置されていたが、次のように構成してもよい。すなわち、図８Ａ〜Ｃに示すように、アルミニウムインゴット１の上面１ａの長辺方向に１本の溝１ｅを設け、短辺方向に２本の溝２ｆを設ける。梱包体６０としては、図９Ａ〜Ｃに示すように、最上段（第９段）では最下段（第１段）の各アルミニウムインゴット１１１、１１２、１１３と交差するように上向きにアルミニウムインゴット１９１、１９２、１９３を配置し、結束バンド２ｃは最下段のアルミニウムインゴット１１１、１１２、１１３の長辺方向の溝１ｅ及び最上段アルミニウムインゴット１９１、１９２、１９３の短辺方向の溝２ｆを通るように構成している。
【００５０】
また、第１段と第２段と最上段の特定のアルミニウムインゴット以外のアルミニウムインゴットについては様々な態様で配置してもよい。
【００５１】
更に、アルミニウムインゴット単体の大きさや形態も上記の実施形態に限定されない。
【符号の説明】
【００５２】
１      アルミニウムインゴット
１１１、１１２、１１３      第１段（最下段）のアルミニウムインゴット
１２１、１２２      第２段の特定のアルミニウムインゴット
１９１、１９２、１９３  第９段（最上段）の特定のアルミニウムインゴット
１ａ    上面
１ｃ、１ｅ、１ｆ    溝
２ａ、２ｂ、２ｃ    結束バンド
１０、２０、３０、４０、５０、６０    アルミニウムインゴットの梱包体
１１１'、１１２'、１１３'    隙間高さ調整用のアルミニウムインゴット
【図１Ａ】
2019130603.tif 000003
【図１Ｂ】
2019130603.tif 000004
【図１Ｃ】
2019130603.tif 000005
【図２Ａ】
2019130603.tif 000006
【図２Ｂ】
2019130603.tif 000007
【図２Ｃ】
2019130603.tif 000008
【図３Ａ】
2019130603.tif 000009
【図３Ｂ】
2019130603.tif 000010
【図４Ａ】
2019130603.tif 000011
【図４Ｂ】
2019130603.tif 000012
【図５Ａ】
2019130603.tif 000013
【図５Ｂ】
2019130603.tif 000014
【図６Ａ】
2019130603.tif 000015
【図６Ｂ】
2019130603.tif 000016
【図６Ｃ】
2019130603.tif 000017
【図７Ａ】
2019130603.tif 000018
【図７Ｂ】
2019130603.tif 000019
【図７Ｃ】
2019130603.tif 000020
【図８Ａ】
2019130603.tif 000021
【図８Ｂ】
2019130603.tif 000022
【図８Ｃ】
2019130603.tif 000023
【図９Ａ】
2019130603.tif 000024
【図９Ｂ】
2019130603.tif 000025
【図９Ｃ】
2019130603.tif 000026
【国際調査報告】
2019130603.tif 000027
2019130603.tif 000028